(57)【要約】      （修正有）【課題】利便性に優れ、効率的でより上質な飲料水が得られる、小型化が可能な構造または機能を備えた家庭用浄水器の提供。【解決手段】前面に、活性炭フィルター２、逆浸透膜フィルター３、イオン交換樹脂４がそれぞれ円筒形の内部に装着された当該筒を３本設置し、またその後方に透明な貯水タンク４−３を持ち、また浄水中は青色のLEDが点滅して、使用者に動作中であることを知らせ、満水状態ではLEDが連続点灯して、満水であることを知らせ、また、給水、排水、浄水などの機能を実施するとき各機能のLCD表示５−５と音声を発生させ通知を行い、また、各機能を実施するときにその機能を日本語、英語、韓国語、中国語などの各国語表示と音声とにより通知をする機能を有する浄水器１。【選択図】図１
0003132345.tif 000002
【実用新案登録請求の範囲】
【請求項１】
少なくとも活性炭フィルター、逆浸透膜フィルター、及びイオン交換樹脂フィルターのそれぞれが、水に溶出しない十分な防錆性能を持った素材からなる３本の円筒体の内部に装着され、この３本の円筒体の後方には透明なタンクが設置された構成を有する浄水器であって、
給水・排水・浄水の各手段を備えて、導入した水を前記３種類のフィルターを通して処理して浄水し、前記タンクに貯水する、ことを特徴とする浄水器。
【請求項２】
請求項１記載の浄水器において、
前記浄水器は、外部から水を導入するための入水穴を備え、
前記入水穴に、水道水による水圧が与えられることによって、前記３種類のフィルターが同時に動作する、ことを特徴とした浄水器。
【請求項３】
請求項２記載の浄水器において、
前記水道水の圧力が不十分なときのために、加圧ポンプを設置する、ことを特徴とする浄水器。
【請求項４】
請求項１記載の浄水器において、
前記浄水器はタイマーを内蔵し、活性炭フィルター、逆浸透膜フィルター、イオン交換樹脂フィルターのいずれかの交換時期が来たとき、自動的にＬＣＤに表示し、さらに音声を発生させて交換の注意を促す、ことを特徴とする浄水器。
【請求項５】
請求項１記載の浄水器において、
前記浄水器は、給水・排水・浄水の各機能を備え、
前記給水・排水・浄水のいずれかの機能を実施するとき、その機能のＬＣＤ表示を行う、ことを特徴とする浄水器。
【請求項６】
請求項１記載の浄水器において、
前記タンクに前記浄水が給水された満水状態で、所定時間なんら操作を行わなかった場合、自動的に前記タンクの水を排水して一度タンクを空にし、その状態から前記浄水器を稼動させて前記タンクを満水にする機能を持つ、ことを特徴とする浄水器。
【請求項７】
請求項１記載の浄水器において、
浄水中には青色のＬＥＤが点滅して、使用者に動作中であることを知らせ、
タンクに満水時には青色ＬＥＤが点灯状態になり、使用者に満水状態であることを知らせる機能を持つ、ことを特徴とする浄水器。
【請求項８】
請求項１記載の浄水器において、
前記浄水器は、給水・排水・浄水の各機能を備え、
前記給水・排水・浄水のいずれかの機能を実施するときに、各機能を日本語・英語・韓国語・中国語を含む所望する言語を発生する機能を有する、ことを特徴とする浄水器。
【請求項９】
請求項１記載の浄水器において、
前記浄水器は、処理された浄水を給水するためのスイッチを備え、
所定のスイッチを押すと、１度押しで連続して給水パイプから浄水が給水され、２度押すと給水が停止し、
別のスイッチを１度押すと、所定の量の浄水を給水して自動的に停止する、ことを特徴とする浄水器。
【請求項１０】
請求項１記載の浄水器において、
前記浄水器は、処理された浄水を貯蔵する貯水タンクを持ち、
前記貯水タンクは満水になると浄水を中断する機能、又は、所定の量を前記貯水タンクから減水すると自動的に浄水を開始し、前記貯水タンクが満水になると自動的に停止する機能、を有することを特徴とする浄水器。
【考案の詳細な説明】
【技術分野】
【０００１】
本発明は浄水器に係り、より詳細には、逆浸透膜を使用した高純度な純水を得ることが出来、さらに、イオン交換樹脂と活性化炭素を組み合わせた、水道水又はその他の飲料水の家庭用浄水器に関するものである。
【背景技術】
【０００２】
現在の水道水に含まれる各種無機、有機物質、各種金属イオンなど、特に塩素、発ガン性物質の混入などの水道水にも健康に悪い影響を及ぼす物質が、問題になってきている。そのため、各小売店、スーパーでは、逆浸透膜フィルターを使用した浄水器が設置され、非常に上質な飲料水を入手することが一般的になっている。
上記装置の場合、装置が大型で、各家庭に設置することは困難であり、さらに、有害な各種イオンの除去は十分ではなかった。また、フィルターの交換やその時期の表示がなかったりし、その他にも取り扱いが便利であるといえなかった。
【考案の開示】
【考案が解決しようとする課題】
【０００３】
本発明は、上述したような問題点を解決し、家庭用浄水器として、利便性に優れ、効率的でより高純度でより上質な飲料水が得られ、小型化が可能となる構造または機能を備えた浄水器を提供するものである。なお、本考案において、浄水は聖水と置き換えられることができる。
【課題を解決するための手段】
【０００４】
（１）少なくとも活性炭フィルター、逆浸透膜フィルター、及びイオン交換樹脂フィルターのそれぞれが、水に溶出しない十分な防錆性能を持った素材からなる３本の円筒体の内部に装着され、この３本の円筒体の後方には透明な貯水用のタンクが設置された構成を有する浄水器であって、
給水・排水・浄水の各手段を備えて、外部から導入した水を前記３種類のフィルターを通して処理して浄水し、前記タンクに貯水する、浄水器とした。
【０００５】
（２）(１)の浄水器において、
前記浄水器は、外部から水を導入するための入水穴を備え、
前記入水穴に、水道水による水圧が与えられることによって、前記３種類のフィルターが同時に動作する。
（３）(２)の浄水器において、
前記水道水の圧力が不十分なときのために、加圧ポンプを設置する。
【０００６】
（４）(１)の浄水器において、
前記浄水器はタイマーを内蔵し、活性炭フィルター、逆浸透膜フィルター、イオン交換樹脂フィルターのいずれかの交換時期が来たとき、自動的にＬＣＤに表示し、さらに音声を発生させて交換の注意を促す。
（５）(１)の浄水器において、
前記浄水器は、給水・排水・浄水の各機能を備え、
前記給水・排水・浄水のいずれかの機能を実施するとき、その機能のＬＣＤ表示を行う。
【０００７】
（６）(１)の浄水器において、
前記タンクに前記浄水が給水された満水状態で、所定時間（例えば４８時間）なんら操作を行わなかった場合、自動的に前記タンクの水を排水して一度タンクを空にし、その状態から前記浄水器を稼動させて前記タンクを満水にする機能を持つ。
（７）(１)の浄水器において、
浄水中には青色のＬＥＤが点滅して、使用者に動作中であることを知らせ、
タンクに満水時には青色ＬＥＤが点灯状態になり、使用者に満水状態であることを知らせる機能を持つ。
【０００８】
（８）(１)の浄水器において、
前記浄水器は、給水・排水・浄水の各機能を備え、
前記給水・排水・浄水のいずれかの機能を実施するときに、各機能を日本語・英語・韓国語・中国語を含む所望する言語を発生する機能を有する。
（９）(１)の浄水器において、
前記浄水器は、処理された浄水を給水するためのスイッチを備え、
所定のスイッチ（例えば連続スイッチ）を押すと、１度押しで連続して給水パイプから浄水が給水され、２度押すと給水が停止し、
もう一方のスイッチ（例えば自動スイッチ）を１度押すと、所定の量の浄水を給水して自動的に停止する。
ここでの所定の量は、たとえば「約コップ一杯分〔約１８０ｃｃ〜200ｃｃ〕」とする。
（１０）(１)の浄水器において、
前記浄水器は、処理された浄水を貯蔵する貯水タンクを持ち、前記貯水タンクは満水になると浄水を中断する機能、又は、所定の量を前記貯水タンクから減水すると自動的に浄水を開始し、前記貯水タンクが満水になると自動的に停止する機能、を有する。
【考案の効果】
【０００９】
本発明による、表示機、音声発生器、を備えた小型の浄水器では、本願に特有な手段を用いることによって、顕著な効果が得ることができる。
（１）(1)活性炭フィルター、(2)逆浸透膜フィルター、(3)イオン交換樹脂、それぞれのフィルターを前面に３本横に配置し、出来上がった浄水は、３本のフィルターの後方に、横方向に広くまた高さをフィルターとほぼ近づけた構成の浄水タンクのスペースに、効率よく配置し、さらに、浄水は、浄水タンク下方に位置したポンプによって、給水することが可能なように配置することにより、小型な家庭用浄水器を実現している。
【００１０】
（２）当該装置の表示機は液晶表示などの２次元表示装置を有し、浄水器の各機能の動作中に、給水中、排水中、制水中、などのその動作を表示し、操作の間違いを防ぎ、装置が壊れることを事前に防止する。
（３）当該装置の音声発生装置は、浄水器の各機能の動作中に、給水中、排水中、制水中などの動作を音声発生し、操作の間違いを防ぎ、装置が壊れることを事前に防止する。また、言語は複数持っていて、そこから選択することを可能とする。
【００１１】
（４）当該措置の内部にタイマーを内蔵し、それぞれのフィルターのおよその交換時期になると、ＬＣＤ表示機、さらに音声発生装置によって交換の注意を促す機能を持つ。
（５）当該装置の浄水タンクには青色ＬＥＤの照明を有し、浄水中はＬＥＤが点滅して使用者に知らせ、又タンクが満水になった時はＬＥＤが連続して点灯し使用者に知らせる機能を持つ。
【考案を実施するための最良の形態】
【００１２】
本考案の浄水器は、前面に活性炭フィルター、及び、逆浸透膜フィルター、イオン交換樹脂が、それぞれ円筒形の内部に装着され、筒は十分な防錆性能を持った材質であり、当該筒を３本前面に設置し、またその後方に透明な貯水タンクを持ち、前記浄水器の後方下部に設置された入水穴から入る、水道水による水圧によって、３種類のフィルターが同時に動作することを特徴としており、そして前記水道水の圧力が不十なときは、装置下部に加圧ポンプを設置することを特徴とする。
また、浄水中は青色のＬＥＤが点滅して、使用者に動作中であることを知らせ、満水状態ではＬＥＤが連続点灯して、満水であることを知らせる。
また、給水、排水、浄水などの機能を実施するとき、各機能のＬＣＤ表示と音声を発生させ、その通知を行うことを特徴とする。
また、給水、排水、浄水などの機能を実施するときに、各機能を日本語、英語、韓国語、中国語などの各国語を、ＬＣＤ表示と音声を発生させ、通知をする機能を有する。
【００１３】
＜実施例１＞
まず、本発明の実施例１にかかる装置は、図１の全体図に示されるように、活性炭フィルター２、逆浸透膜フィルター３、イオン交換樹脂４、の３つのフィルターを、３本の筒に内蔵し、装置の前面の位置することを特徴としている。この円筒はステンレスなどの防錆性金属の表面を鏡面仕上げしたものでも良い。
また、図４の側面図において、貯水タンク4-3（透明であっても良い）を、前記３種類のフィルター筒の後方に位置して、貯水量を見やすくし、また、構成を小型化することを可能にしている。
また、図１の全体図の上部に位置する給水パイプ５は回動可能になっており、そして、先端に蛇腹(ジャバラ)5-1を有し、角度を自在に変えることができ、給水口5-2は上記構造により位置を自由に移動することを可能にしている。
【００１４】
＜実施例２＞
本発明の実施例２にかかる装置は、図２の後面図において、入水穴2-2を有し、図４の側面図に示される入水パイプ4-1において、水道水の蛇口などにつないで、水道水の圧力で水が入る設計となっており、前記３種類のフィルター(２,３,４)に給水することを可能にしている。
【００１５】
＜実施例３＞
本発明の実施例３にかかる装置は、図２の後面図において、加圧ポンプ2-4が浄水器１の本体の下部に位置しており、水道水の水圧が低い場合には、前記加圧ポンプ2-4で前記３種類のフィルター(２,３,４)に十分な水量を供給することを可能としている。
【００１６】
＜実施例４＞
本発明の実施例４にかかる装置は、図３の正面図において、表示ＬＣＤ5-5に前記３種類のフィルター(２,３,４)の交換時期が内蔵されたタイマーで検出されたとき、使用者に交換を促すように表示することを可能とし、また、音声出力スピーカー5-6によっても、使用者にフィルター交換を促すように知らせることを可能としている。
【００１７】
＜実施例５＞
本発明の実施例５にかかる装置は、図３の正面図において図示される表示ＬＣＤ5-5上に、「給水中、排水中、浄水中〔または整水中〕」などと表示して、使用者に分かりやすく、動作について表示することを可能としている。
【００１８】
＜実施例６＞
本発明の実施例６にかかる装置は、図４の側面図に図示される貯水タンク4-3の水が、特に操作無く、４８時間経過しても給水・排水されることが無い場合は、自動的に、図４の側面図に図示される排水パイプ4-2によって全水量排水され、さらに、図１の全体図で示される表示ＬＣＤ5-5に、浄水中（または整水中など）と表示し、図４の側面図に図示される貯水タンク4-3が、満水になるまで貯水することを可能にしている。
【００１９】
＜実施例７＞
本発明の実施例７にかかる装置は、図１の全体図に示される貯水タンク4-3の照明について、図４の側面図に示される貯水タンク4-3の上部に示される青色ＬＥＤ4-4〔照明〕が、浄水中（または整水中など）の時に点滅して使用者に知らせ、また、貯水タンク4-3が満水時には点灯して、使用者に知らせることを可能にする。
【００２０】
＜実施例８＞
本発明の実施例８にかかる装置は、図３の正面図に示される言語5-7〔切り替えスイッチ〕を操作することにより、各種動作たとえば、給水中、排水中、浄水中（または整水中）などの動作時に、ＬＣＤ表示5-5、及び音声出力スピーカー5-6から、使用者に知らせる言語を、たとえば、韓国語、中国語、英語、日本語などに切り替え、各国の使用者に知らせる機能を持つことを可能にしている。
【００２１】
＜実施例９＞
本発明の実施例９にかかる装置は、図１の全体図に示される連続スイッチ5-3を操作することにより、１度押しで連続して給水パイプから浄水が給水され、２度押すと給水が停止することを特徴としており、また、自動スイッチ5-4を１度押すと、約コップ一杯分〔約１８０ｃｃ〜200ｃｃ〕を給水すると自動的に停止する、ことを特徴とする。
【図面の簡単な説明】
【００２２】
【図１】本考案の浄水器の全体図であり、当該浄水器の全体の構造及び形態を示すものである。
【図２】本考案の浄水器の後面図であり、当該浄水器の後部の形態を示し、水の入水穴、排水穴、加圧ポンプ用穴などを具備する形態、構造を示す。
【図３】本考案の浄水器の正面図であり、当該浄水器の前面パネルの各種スイッチ、表示ＬＣＤ、音声出力スピーカなどを具備する形態、構造を示す。
【図４】本考案の浄水器の側面図であり、当該浄水器の側面からの貯水タンク、照明、及び、給水・排水パイプの構造及び形態を示す。
【符号の説明】
【００２３】
１    本考案による浄水器（浄水装置）
２    活性炭フィルター部
３    逆浸透膜フィルター部
４    イオン交換樹脂フィルター部
４−１    入水パイプ
４−２    排水パイプ
４−３    貯水タンク
４−４    青色ＬＥＤ
５    給水パイプ
５−１    蛇腹
５−２    給水口
５−３    連続スイッチ
５−４    自動スイッチ
５−５    表示ＬＣＤ
５−６    音声出力スピーカー
５−７    言語スイッチ
５−８    音声スイッチ
５−９    照明スイッチ
５−１０  リセットスイッチ
５−１１  電源ＬＥＤ表示
【図１】
0003132345.tif 000003
【図２】
0003132345.tif 000004
【図３】
0003132345.tif 000005
【図４】
0003132345.tif 000006